【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
モバイル通信ネットワークを介して通信するための通信デバイスであって、前記モバイル通信ネットワークは前記通信デバイスに信号を送信するまたは前記通信デバイスから信号を受信するための無線アクセスインタフェースを提供する１つ以上のネットワークエレメントを含み、前記通信デバイスは、
前記モバイル通信ネットワークの前記１つ以上のネットワークエレメントによって提供される前記無線アクセスインタフェースを介して前記モバイル通信ネットワークへ前記信号を送信するように構成された送信機と、
前記モバイル通信ネットワークの前記１つ以上のネットワークエレメントによって提供される前記無線アクセスインタフェースを介して前記モバイル通信ネットワークからの前記信号を受信するように構成された受信機と、
１つ以上の他の通信デバイスに共通である前記無線アクセスインタフェースのランダムアクセスチャネルを介して第１のネットワークエレメントへランダムアクセスメッセージを送信し、
前記通信デバイスが前記第１のネットワークエレメントに信号を送信するための共有アップリンクチャネルの通信リソースの割り当ての指示を提供する前記ランダムアクセスメッセージに応答して、前記第１のネットワークエレメントから肯定的な通知を受信するか、または前記通信デバイスは前記共有アップリンクチャネルの通信リソースを割り当てらなかったという指示を提供する否定的な通知を前記第１のネットワークエレメントから受信する、
ように前記送信機を制御するように構成されたコントローラと、を含み、ここで、
前記コントローラによる１以上のランダムアクセスの失敗状態の検出に応答して、
前記ランダムアクセスメッセージを１回以上再送信するように、前記コントローラは前記送信機と組み合わせて構成され、
前記ランダムアクセスメッセージの再送信のそれぞれは、前の再送信の遅延よりも大きいか、または等しい可変遅延の後であり、
前記コントローラは、前記コントローラによる１以上のランダムアクセスの失敗状態の前記検出に応答して、前記受信機と組み合わせて、
次のランダムアクセスメッセージを送信する第２のネットワークエレメントを選択し、前記第２のネットワークエレメントはネットワークエレメントの選択または再選択の基準に従って選択される、通信デバイス。
【請求項２】
前記ランダムアクセスメッセージの前記再送信の前の各遅延は、最小遅延期間と最大遅延期間との間からランダムに選択された遅延を含み、各再送信に関連付けられた前記最大遅延期間は、前の再送信の前記遅延よりも大きい、
請求項１に記載の通信デバイス。
【請求項３】
前記ネットワークエレメントの選択または再選択の基準は、前記第１のネットワークエレメントから受信される信号の信号強度に適用されるように構成された負のオフセットを含み、
前記１以上のネットワークエレメントによって送信された信号を受信し、
前記１以上のネットワークエレメントの各々からの前記受信される信号のそれぞれの信号強度を判定し、前記選択または再選択の基準に関連した対応するパラメータを設定し、
前記第１のネットワークエレメントに関連した前記選択または再選択の基準に関連する前記パラメータに前記負のオフセットを適用し、
前記各ネットワークエレメントに関連した前記選択または再選択の基準に応じて、前記第２のネットワークエレメントを選択するように、
前記コントローラは前記受信機および前記送信機と組み合わせて構成される、
請求項１に記載の通信デバイス。
【請求項４】
前記オフセットは、前記第１のネットワークエレメントの再選択を防止する効果を有する大きさを有する、
請求項３に記載の通信デバイス。
【請求項５】
前記ランダムアクセスメッセージが再送信される時間ごとに、前記ランダムアクセスメッセージが再送信される電力を増加させるように、
前記コントローラは前記送信機と組み合わせて構成される、
請求項１に記載の通信デバイス。
【請求項６】
前記ランダムアクセスの失敗状態は、前記ランダムアクセスメッセージを所定回数送信することを含む、
請求項１に記載の通信デバイス。
【請求項７】
前記ランダムアクセスの失敗状態は、所定の時間内に、前記共有アップリンクチャネルの割り当ての指示を提供する肯定的な通知を受信することができないことを含む、
請求項１に記載の通信デバイス。
【請求項８】
モバイル通信ネットワークを介して通信するための通信デバイスであって、前記モバイル通信ネットワークは前記通信デバイスに信号を送信するまたは前記通信デバイスから信号を受信するための無線アクセスインタフェースを提供する１つ以上のネットワークエレメントを含み、前記通信デバイスは、
前記モバイル通信ネットワークの前記１つ以上のネットワークエレメントによって提供される前記無線アクセスインタフェースを介して前記モバイル通信ネットワークへ前記信号を送信するように構成された送信機と、
前記モバイル通信ネットワークの前記１つ以上のネットワークエレメントによって提供される前記無線アクセスインタフェースを介して前記モバイル通信ネットワークからの前記信号を受信するように構成された受信機と、
１つ以上の他の通信デバイスに共通である前記無線アクセスインタフェースのランダムアクセスチャネルを介して第１のネットワークエレメントへランダムアクセスメッセージを送信し、
前記通信デバイスが前記第１のネットワークエレメントに信号を送信するための共有アップリンクチャネルの通信リソースの割り当ての指示を提供する前記ランダムアクセスメッセージに応答して、前記第１のネットワークエレメントから肯定的な通知を受信するか、または前記通信デバイスは前記共有アップリンクチャネルの通信リソースを割り当てらなかったという指示を提供する否定的な通知を前記第１のネットワークエレメントから受信する、
ように前記送信機を制御するように構成されたコントローラと、を含み、ここで、
前記コントローラによる１以上のランダムアクセスの失敗状態の検出に応答して、
前記ランダムアクセスメッセージを１回以上再送信するように、前記コントローラは前記送信機と組み合わせて構成され、
前記ランダムアクセスメッセージの再送信のそれぞれは、前の再送信の遅延よりも大きいか、または等しい可変遅延の後であり、
前記第１のネットワークエレメントからのブロードキャストメッセージを受信するように前記コントローラは前記受信機と組み合わせて構成され、前記ブロードキャストメッセージは１以上の前記ランダムアクセスの失敗状態を示す、
通信デバイス。
【請求項９】
前記ランダムアクセスメッセージは、最大送信電力以下の電力で再送信される、
請求項１に記載の通信デバイス。
【請求項１０】
前記第１のネットワークエレメントからのブロードキャストメッセージを受信するように前記コントローラは前記受信機と組み合わせて構成され、前記遅延は、前記ブロードキャストメッセージにおいて示されるパラメータに応じて算出される、
請求項１に記載の通信デバイス。
【請求項１１】
モバイル通信ネットワークを介して通信するための通信デバイスであって、前記モバイル通信ネットワークは前記通信デバイスに信号を送信するまたは前記通信デバイスから信号を受信するための無線アクセスインタフェースを提供する１つ以上のネットワークエレメントを含み、前記通信デバイスは、
前記モバイル通信ネットワークの前記１つ以上のネットワークエレメントによって提供される前記無線アクセスインタフェースを介して前記モバイル通信ネットワークへ前記信号を送信するように構成された送信機と、
前記モバイル通信ネットワークの前記１つ以上のネットワークエレメントによって提供される前記無線アクセスインタフェースを介して前記モバイル通信ネットワークからの前記信号を受信するように構成された受信機と、
１つ以上の他の通信デバイスに共通である前記無線アクセスインタフェースのランダムアクセスチャネルを介して第１のネットワークエレメントへランダムアクセスメッセージを送信し、
前記通信デバイスが前記第１のネットワークエレメントに信号を送信するための共有アップリンクチャネルの通信リソースの割り当ての指示を提供する前記ランダムアクセスメッセージに応答して、前記第１のネットワークエレメントから肯定的な通知を受信するか、または前記通信デバイスは前記共有アップリンクチャネルの通信リソースを割り当てらなかったという指示を提供する否定的な通知を前記第１のネットワークエレメントから受信する、
ように前記送信機を制御するように構成されたコントローラと、を含み、ここで、
前記コントローラによる１以上のランダムアクセスの失敗状態の検出に応答して、
前記ランダムアクセスメッセージを１回以上再送信するように、前記コントローラは前記送信機と組み合わせて構成され、
前記ランダムアクセスメッセージの再送信のそれぞれは、前の再送信の遅延よりも大きいか、または等しい可変遅延の後であり、
前記第１のネットワークエレメントからのブロードキャストメッセージを受信するように前記コントローラは前記受信機と組み合わせて構成され、ネットワークエレメントの再選択基準のパラメータは、前記ブロードキャストメッセージにおいて示される、
通信デバイス。
【請求項１２】
モバイル通信ネットワークを介して通信するための方法であって、前記モバイル通信ネットワークは通信デバイスに信号を送信するまたは前記通信デバイスから信号を受信するための無線アクセスインタフェースを提供する１つ以上のネットワークエレメントを含み、前記方法は、
前記モバイル通信ネットワークの前記１つ以上のネットワークエレメントによって提供される前記無線アクセスインタフェースを介して前記モバイル通信ネットワークへ前記信号を送信することと、
前記モバイル通信ネットワークの前記１つ以上のネットワークエレメントによって提供される前記無線アクセスインタフェースを介して前記モバイル通信ネットワークからの前記信号を受信することと、を含み、前記送信することは、
１つ以上の他の通信デバイスに共通である前記無線アクセスインタフェースのランダムアクセスチャネルを介して第１のネットワークエレメントへランダムアクセスメッセージを送信することと、
前記通信デバイスが前記第１のネットワークエレメントに信号を送信するための共有アップリンクチャネルの通信リソースの割り当ての指示を提供する前記ランダムアクセスメッセージに応答して、前記第１のネットワークエレメントから肯定的な通知を受信するか、または前記通信デバイスは前記共有アップリンクチャネルの通信リソースを割り当てらなかったという指示を提供する否定的な通知を前記第１のネットワークエレメントから受信することと、を含み、ここで前記方法は、
１以上のランダムアクセスの失敗状態の検出に応答して、前記ランダムアクセスメッセージを１回以上再送信すること、を含み、
前記ランダムアクセスメッセージの再送信のそれぞれは、前の再送信の遅延よりも大きいか、または等しい可変遅延の後であり、
さらに、前記コントローラによる１以上のランダムアクセスの失敗状態の前記検出に応答して、次のランダムアクセスメッセージを送信する第２のネットワークエレメントを選択し、前記第２のネットワークエレメントはネットワークエレメントの選択または再選択の基準に従って選択される、方法。